(57)【特許請求の範囲】
【請求項１】
給油機内に流量計などの給油機構を収納し、前記流量計で計測された給油量を表示する表示器を設け、先端に給油ノズルを有する給油ホースを流量計の吐出管に接続した給油装置において、
商品別に区画され、押圧する毎にその箇所が点灯する商品キーと、下方に画面をスクロールする次頁キー、前頁キーと、商品の注文、選択を開始する注文キーと、商品の選択終了後に押圧して売店に商品を発注する設定キーとより構成されているタッチパネルによるもので、前記給油機で給油される燃料油以外の商品を選択、発注する商品購入手段と、
前記商品及び給油量の精算を行う精算手段と、
前記精算手段からの出力で燃料油及び燃料油以外の商品とその金額を記載した伝票を発行する伝票発行手段とを設け、
前記伝票に基づいて商品を受取ることができることを特徴とする給油装置。
【発明の詳細な説明】
【０００１】
【発明の属する技術分野】
本発明は、例えばセルフタイプの給油所に設置する給油装置に関するものである。
【０００２】
【従来の技術】
給油操作を自動車の運転者自身が行うセルフタイプの給油所では、燃料油以外の商品で自動車等とは全く無関係な商品、例えばファーストフード、日用雑貨、そして本等を販売する売店を事務所に併設している。
【０００３】
【発明が解決しようとする課題】
かかる給油所では、ファーストフードは注文してから出来上がるまで待たねばならず、自動車に燃料油を供給している時間と合わせれば無駄な時間が多く、給油所側から見ても、客の回転が悪いという不都合があった。
【０００４】
本発明の目的は前記従来例の不都合を解消し、燃料油以外の商品を選択、発注して売店に予め商品を知らせておける給油装置を提供することにある。
【０００５】
【課題を解決するための手段】
前記目的を達成するため、本発明は、給油機内に流量計などの給油機構を収納し、前記流量計で計測された給油量を表示する表示器を設け、先端に給油ノズルを有する給油ホースを流量計の吐出管に接続した給油装置において、商品別に区画され、押圧する毎にその箇所が点灯する商品キーと、下方に画面をスクロールする次頁キー、前頁キーと、商品の注文、選択を開始する注文キーと、商品の選択終了後に押圧して売店に商品を発注する設定キーとより構成されているタッチパネルによるもので、前記給油機で給油される燃料油以外の商品を選択、発注する商品購入手段と、  前記商品及び給油量の精算を行う精算手段と、前記精算手段からの出力で燃料油及び燃料油以外の商品とその金額を記載した伝票を発行する伝票発行手段とを設け、前記伝票に基づいて商品を受取ることができることを要旨とするものである。
【０００６】
本発明によれば、給油機内に流量計などの給油機構を収納し、前記流量計で計測された給油量を表示する表示器を設け、先端に給油ノズルを有する給油ホースを流量計の吐出管に接続した給油装置において、前記給油機で給油される燃料油以外の商品を選択、発注する商品購入手段と、前記商品及び給油量の精算を行う精算手段と、前記精算手段からの出力で伝票を発行する伝票発行手段とを設け、前記伝票に基づいて商品を受取ることができるので、予め売店で商品を準備してもらえ、商品の受け取りにかかる待ち時間が無くなる。また、商品の注文、燃料油の給油、そして燃料油及び商品の精算を１カ所で行えるので効率がよい。さらに、商品の受け渡しは伝票に基づいて行われるので、スムーズに間違いなく行われる。
【０００７】
【発明の実施の形態】
以下、本発明の実施の形態を図面に基づいて説明する。図１は本発明の給油装置が設置された給油所の実施例を示す図、図２は本発明の給油装置の概要を示す正面図、図３は伝票発行手段より出力された伝票を示す図、図４は商品購入手段を説明する要部拡大図、そして、図５は動作を示すフローチャートである。
【０００８】
図１、図２に示すように、給油所の敷地１の奥側にセルフ用の複数の給油機２の動作状況を監視する事務所３とファーストフード、日用雑貨、そして本等を販売する売店４とが併設され、前方にはアイランド５上に給油機２が立設されている。
【０００９】
前記給油機２は、周知のようにポンプモータにより駆動される給油ポンプと、流量パルス発信器を接続した流量計と、給油機２からの給油ノズル６の取外しを検出するノズルスイッチと、前記流量計で計測された給油量を表示する表示器７とが設けられている。
【００１０】
前記表示器７の側方にはプリセット量を設定するキーボード８と、ファーストフード、日用雑貨、そして本等の商品を選択、発注する商品購入手段であるタッチパネル９と、燃料油及び売店内で販売されている商品の精算を行う、ＩＣカード、クレジットカード、そしてプリペイカード等を読み書きする精算手段であるカードリーダーライター１０と、図３に示すような燃料油及び燃料油以外の商品とその金額を記載した伝票１１を発行する伝票発行手段であるプリンター１２とが設けられている。
【００１１】
図４に示すように、前記タッチパネル９は商品別に区画され、押圧する毎にその箇所が点灯する商品キー２１と、下方に画面をスクロールする次頁キー２２、前頁キー２３と、商品の注文、選択を開始する注文キー２４と、商品の選択終了後に押圧して売店に商品を発注する設定キー２５とより構成されている。
【００１２】
次に動作を説明する。自動車を給油機２の近傍に停車させてエンジンを停止させ、クレジットカード等の決済能力のあるカードをカードリーダーライター１０に挿入する（ＳＴ１）。そしてキーボード８でプリセット量を設定すると、タッチパネル９に売店で販売している商品が複数に区画されて表示され（ＳＴ２）、注文キー２４を押圧して（ＳＴ３）、タッチパネル９内の商品キー２１、次頁キー２２、前頁キー２３を操作することで商品を選択し（ＳＴ４）、設定キー２５で売店に注文信号を出力する（ＳＴ５、ＳＴ６）。売店では前記注文信号を受けて、商品を調理したり、探したりして顧客が売店に立ち寄るまでに準備しておく。また、商品の注文を必要としないときには、給油モード設定後に給油ノズル６を外せば給油可能となる（ＳＴ９）。
【００１３】
前記商品の注文が終了したら、給油を行い（ＳＴ７）、プリセット量に達して給油が終了すると、プリンター１２より燃料油及び商品注文にかかった料金、品名を記載した伝票１１が出力され、かつ、カードによる精算が行われてカードリーダーライター１０よりカードが排出される（ＳＴ８）。顧客はこの伝票１１を持って売店に行けば、先ほど注文した商品を伝票１１を見せることで直ぐに受け取ることができる。
【００１４】
【発明の効果】
本発明に係る給油装置は以上詳細に述べた如くであって、給油機で給油される燃料油以外の商品を選択、発注する商品購入手段と、前記商品及び給油量の精算を行う精算手段と、前記精算手段からの出力で伝票を発行する伝票発行手段とを設け、前記伝票に基づいて商品を受取ることができるので、予め売店で商品を準備してもらえ、商品の受け取りにかかる待ち時間が無くなる。また、商品の注文、燃料油の給油、そして燃料油及び商品の精算を１カ所で行えるので効率がよい。さらに、商品の受け渡しは伝票に基づいて行われるので、スムーズに間違いなく行われる。
【図面の簡単な説明】
【図１】  本発明の給油装置が設置された給油所の実施例を示す図である。
【図２】  本発明の給油装置の概要を示す正面図である。
【図３】  本発明の伝票発行手段より出力された伝票を示す図である。
【図４】  本発明の商品購入手段を説明する要部拡大図である。
【図５】  本発明の給油装置の動作を示すフローチャートである。
【符号の説明】
１  敷地
２  給油機
３  事務所
４  売店
５  アイランド
６  給油ノズル
７  表示器
８  キーボード
９  タッチパネル
１０  カードリーダーライター
１１  伝票
１２  プリンター
２１  商品キー
２２  次頁キー
２３  前頁キー
２４  注文キー
２５  設定キー
【図１】
0003757526.tif 000002
【図２】
0003757526.tif 000003
【図３】
0003757526.tif 000004
【図４】
0003757526.tif 000005
【図５】
0003757526.tif 000006